(57)【特許請求の範囲】
【請求項１】
システム情報の伝送方法であって、
ネットワーク装置はシステム情報を送信するリソースを決定するステップと、
前記ネットワーク装置は前記システム情報を送信するリソース上で前記システム情報を送信するステップと、を含み、
前記ネットワーク装置が前記システム情報を送信するリソース上で前記システム情報を送信する前、前記方法は、
前記ネットワーク装置は少なくとも１つの端末装置に、前記少なくとも１つの端末装置が前記システム情報を送信するリソースを決定するための第１指示情報を送信するステップをさらに含み、
前記第１指示情報はさらに前記少なくとも１つの端末装置が前記システム情報を送信するリソース上で前記システム情報を受信する必要があるか否かを指示することに用いられることを特徴とするシステム情報の伝送方法。
【請求項２】
前記第１指示情報は前記ネットワーク装置が前記システム情報を送信するリソースの位置を指示することに用いられ、又は、前記第１指示情報は前記ネットワーク装置が前記システム情報を送信するリソースの開始位置、及びリソースブロックの時間領域幅とリソースブロックの周波数領域幅のうちの少なくとも一方を指示することに用いられることを特徴とする請求項１に記載の方法。
【請求項３】
前記第１指示情報はさらに前記ネットワーク装置が前記システム情報を送信する送信周期を指示することに用いられ、及び／又は、前記第１指示情報はさらに前記システム情報に含まれるコンテンツ情報を指示することに用いられることを特徴とする請求項２に記載の方法。
【請求項４】
前記第１指示情報はさらに前記ネットワーク装置が前記システム情報の制御情報を送信するリソース位置を指示することに用いられ、又は、前記第１指示情報は前記ネットワーク装置が前記システム情報の制御情報を送信するリソースの開始位置及びリソースブロックの時間領域幅とリソースブロックの周波数領域幅のうちの少なくとも一方を指示することに用いられることを特徴とする請求項１に記載の方法。
【請求項５】
前記システム情報の制御情報はさらに前記ネットワーク装置が前記システム情報を送信する送信周期を指示することに用いられ、及び／又は、前記システム情報の制御情報はさらに前記ネットワーク装置が送信した前記システム情報に含まれるコンテンツ情報を指示することに用いられることを特徴とする請求項４に記載の方法。
【請求項６】
前記ネットワーク装置がシステム情報を送信するリソースを決定することは、前記ネットワーク装置がプリセット設定情報に基づき前記システム情報を送信するリソースを決定するステップを含むことを特徴とする請求項１に記載の方法。
【請求項７】
前記プリセット設定情報は前記ネットワーク装置が前記システム情報を送信するリソースの計算方法を指示することに用いられることを特徴とする請求項６に記載の方法。
【請求項８】
システム情報の伝送方法であって、
端末装置は設定された第１リソース上でシステム情報を受信するステップを含み、
前記端末装置が設定された第１リソース上でシステム情報を受信する前、前記方法は、
前記端末装置は第１指示情報を受信するステップと、
前記端末装置は第１指示情報に基づき前記第１リソースを決定するステップと、をさらに含み、
前記第１指示情報はさらに前記端末装置が前記第１リソース上で前記システム情報を受信する必要があるか否かを指示することに用いられことを特徴とするシステム情報の伝送方法。
【請求項９】
前記第１指示情報は前記システム情報を送信するリソースの位置を指示することに用いられ、又は、前記第１指示情報は前記システム情報を送信するリソースの開始位置及びリソースブロックの時間領域幅とリソースブロックの周波数領域幅のうちの少なくとも一方を指示することに用いられ、
前記端末装置が前記第１指示情報に基づき前記第１リソースを決定することは、
前記端末装置が前記第１指示情報により指示される前記システム情報を送信するリソースの位置に基づき前記第１リソースを決定するステップを含み、
又は前記端末装置が前記第１指示情報により指示される前記システム情報を送信するリソースの開始位置及びリソースブロックの時間領域幅とリソースブロックの周波数領域幅のうちの少なくとも一方に基づき、前記第１リソースを決定するステップを含むことを特徴とする請求項８に記載の方法。
【請求項１０】
前記第１指示情報はさらに前記システム情報を送信する送信周期を指示することに用いられ、及び／又は、前記第１指示情報はさらに前記システム情報に含まれるコンテンツ情報を指示することに用いられることを特徴とする請求項９に記載の方法。
【請求項１１】
前記第１指示情報はさらに前記システム情報の制御情報を送信するリソースの位置を指示することに用いられ、又は、前記第１指示情報は前記システム情報の制御情報を送信するリソースの開始位置及びリソースブロックの時間領域幅とリソースブロックの周波数領域幅のうちの少なくとも一方を指示することに用いられ、
前記端末装置が第１指示情報に基づき前記第１リソースを決定することは、
前記端末装置は前記第１指示情報により指示される前記システム情報の制御情報を送信するリソースの位置、又は、前記第１指示情報により指示される前記システム情報の制御情報を送信するリソースの開始位置及びリソースブロックの時間領域とリソースブロックの周波数領域幅のうちの少なくとも一方に基づき、前記システム情報の制御情報を送信するリソースを決定するステップと、
前記端末装置は前記システム情報の制御情報を送信するリソース上で前記システム情報の制御情報を受信するステップと、
前記端末装置は前記システム情報の制御情報により指示されるリソースに基づき前記第１リソースを決定するステップと、を含むことを特徴とする請求項８に記載の方法。
【請求項１２】
前記システム情報の制御情報はさらに前記システム情報を送信する送信周期を指示することに用いられ、及び／又は、前記システム情報の制御情報はさらに前記システム情報に含まれるコンテンツ情報を指示することに用いられることを特徴とする請求項１１に記載の方法。
【請求項１３】
前記端末装置が第１指示情報に基づき前記リソースを決定することは、
前記第１指示情報はさらに前記端末装置が前記第１リソース上で前記システム情報を受信する必要があることを指示する場合、前記端末装置は前記第１指示情報に基づき前記第１リソースを決定するステップを含むことを特徴とする請求項８〜１２のいずれか一項に記載の方法。
【請求項１４】
前記端末装置が設定された第１リソース上でシステム情報を受信する前、
前記端末装置はプリセット設定情報に基づき前記第１リソースを決定するステップをさらに含むことを特徴とする請求項８に記載の方法。
【請求項１５】
前記プリセット設定情報は前記第１リソースの計算方法を指示することに用いられ、
前記端末装置がプリセット設定情報に基づき前記第１リソースを決定することは、
前記端末装置が前記プリセット設定情報により指示される前記第１リソースの計算方法に従って前記第１リソースを決定するステップを含むことを特徴とする請求項１４に記載の方法。
【請求項１６】
システム情報の伝送装置であって、
設定された第１リソース上でシステム情報を受信する受信モジュールを備え、
前記受信モジュールはさらに、前記設定された第１リソース上でシステム情報を受信する前、第１指示情報を受信し、
前記装置は、第１指示情報に基づき前記第１リソースを決定する第１決定モジュールをさらに備え、
前記第１指示情報はさらに前記端末装置が前記第１リソース上で前記システム情報を受信する必要があるか否かを指示することに用いられることを特徴とするシステム情報の伝送装置。
【請求項１７】
前記第１指示情報は前記システム情報を送信するリソースの位置を指示することに用いられ、又は、前記第１指示情報は前記システム情報を送信するリソースの開始位置及びリソースブロックの時間領域幅とリソースブロックの周波数領域幅のうちの少なくとも一方を指示することに用いられ、
前記第１決定モジュールは具体的には、前記第１指示情報により指示される前記システム情報を送信するリソースの位置に基づき前記第１リソースを決定し、
又は前記第１決定モジュールは具体的には、さらに前記第１指示情報により指示される前記システム情報を送信するリソースの開始位置及びリソースブロックの時間領域幅とリソースブロックの周波数領域幅のうちの少なくとも一方に基づき、前記第１リソースを決定することを特徴とする請求項１６に記載の装置。
【請求項１８】
前記第１指示情報はさらに前記システム情報を送信する送信周期を指示することに用いられ、及び／又は、前記第１指示情報はさらに前記システム情報に含まれるコンテンツ情報を指示することに用いられることを特徴とする請求項１７に記載の装置。
【請求項１９】
前記第１指示情報はさらに前記システム情報の制御情報を送信するリソースの位置を指示することに用いられ、又は、前記第１指示情報は前記システム情報の制御情報を送信するリソースの開始位置及びリソースブロックの時間領域幅とリソースブロックの周波数領域幅のうちの少なくとも一方を指示することに用いられ、
前記第１決定モジュールは具体的には、前記第１指示情報により指示される前記システム情報の制御情報を送信するリソースの位置、又は、前記第１指示情報により指示される前記システム情報の制御情報を送信するリソースの開始位置及びリソースブロックの時間領域幅とリソースブロックの周波数領域幅のうちの少なくとも一方に基づき、前記システム情報の制御情報を送信するリソースを決定し、
前記受信モジュールはさらに、前記システム情報の制御情報を送信するリソース上で前記システム情報の制御情報を受信し、
前記第１決定モジュールは具体的には、前記システム情報の制御情報により指示されるリソースに基づき前記第１リソースを決定することを特徴とする請求項１６に記載の装置。
【請求項２０】
前記システム情報の制御情報はさらに前記システム情報を送信する送信周期を指示することに用いられ、及び／又は、前記システム情報の制御情報はさらに前記システム情報に含まれるコンテンツ情報を指示することに用いられることを特徴とする請求項１９に記載の装置。
【請求項２１】
前記第１決定モジュールは具体的には、前記第１指示情報はさらに前記装置が前記第１リソース上で前記システム情報を受信する必要があることを指示することに用いられる場合、前記第１指示情報に基づき前記第１リソースを決定することを特徴とする請求項１６〜２０のいずれか一項に記載の装置。
【請求項２２】
前記設定された第１リソース上でシステム情報を受信する前、プリセット設定情報に基づき前記第１リソースを決定する第２決定モジュールをさらに備えることを特徴とする請求項１６に記載の装置。
【請求項２３】
前記プリセット設定情報は前記第１リソースの計算方法を指示することに用いられ、
前記第２決定モジュールは具体的には、前記プリセット設定情報により指示される前記第１リソースの計算方法に従って前記第１リソースを決定することを特徴とする請求項２２に記載の装置。
【発明の詳細な説明】
【技術分野】
【０００１】
本発明の実施例は通信分野に関し、特に通信分野におけるシステム情報の伝送方法及び装置に関する。
【背景技術】
【０００２】
ロングタームエボリューション（Ｌｏｎｇ  Ｔｅｒｍ  Ｅｖｏｌｕｔｉｏｎ、「ＬＴＥ」と略称する）システムの設計では、基地局がシステム情報を送信する帯域幅は最小帯域幅を適用可能な端末装置のみに適用できるため、システム情報の伝送はリソースに制限されてしまう。
【発明の概要】
【発明が解決しようとする課題】
【０００３】
本発明の実施例に係るシステム情報の伝送方法及び装置は、システム情報の伝送の柔軟性を向上させることができる。
【課題を解決するための手段】
【０００４】
第１態様によれば、システム情報の伝送方法を提供し、ネットワーク装置はシステム情報を送信するリソースを決定するステップと、前記ネットワーク装置は前記システム情報を送信するリソース上で前記システム情報を送信するステップと、を含む。
【０００５】
本発明の実施例では、ネットワーク装置はシステム情報を送信するリソースを決定し、決定したシステム情報を送信するリソース上でシステム情報を送信することができることにより、端末装置はそれ自体の能力に応じてネットワーク装置がシステム情報を送信するリソース上でシステム情報を受信することができ、たとえば、端末装置は広い帯域幅をサポートすると、端末装置はネットワーク装置がシステム情報を送信するリソース上でシステム情報を一括受信し、端末装置は狭い帯域幅をサポートすると、端末装置はそれ自体がサポートする帯域幅でネットワーク装置が送信したシステム情報を順番に受信できる。
【０００６】
選択肢として、ネットワーク装置はブロードキャスト及び／又はマルチキャスト及び／又はマルチキャストの方式によってシステム情報を送信する。
【０００７】
選択肢として、ネットワーク装置がシステム情報を送信するリソースを決定することは、ネットワーク装置が従来のシステム情報を送信するリソースを拡張して拡張済みのリソースを得て、拡張済みのリソースをシステム情報を送信するリソースとして決定することであってもよく、又はネットワーク装置が従来のシステム情報を送信するリソース上で一部のシステム情報を送信し、拡張済みのリソースで残りのシステム情報を送信することであってもよい。
【０００８】
選択肢として、前記システム情報はネットワーク装置が少なくとも１つの端末装置に送信する必要のあるシステム情報であってもよく、ネットワーク装置が少なくとも１つの端末装置に送信した一部のシステム情報であってもよく、たとえば、ＬＴＥにおけるマスタ情報ブロック（Ｍａｓｔｅｒ  Ｉｎｆｏｒｍａｔｉｏｎ  Ｂｌｏｃｋ、「ＭＩＢ」と略称する）であり、すなわち、ネットワーク装置により決定されたリソースは一部又はすべてのシステム情報を送信し、たとえば、ＬＴＥにおけるシステム情報ブロック（Ｓｙｓｔｅｍ  Ｉｎｆｏｒｍａｔｉｏｎ  Ｂｌｏｃｋ、「ＳＩＢ」と略称する）１、ＳＩＢ２、ＳＩＢ３、ＳＩＢ４、ＳＩＢ５、ＳＩＢ６、ＳＩＢ７、ＳＩＢ８等中のすべて又は一部のシステム情報であり、又は前記システム情報は将来の通信システムにおけるすべて又は一部のシステム情報であり、将来の通信システムにおけるシステム情報の分割はＬＴＥシステムにおけるシステム情報の分割方式を採用してもよく、システム情報のほかの分割方式を採用してもよく、本発明の実施例ではそれを限定しない。将来の通信システムのシステム情報はＬＴＥにおけるシステム情報に含まれるコンテンツを含むが、それに限定されず、ほかのコンテンツを含んでもよく、本発明の実施例では、それに限定されない。
【０００９】
いくつかの実施形態では、前記ネットワーク装置が前記システム情報を送信するリソース上で前記システム情報を送信する前、前記方法は、前記ネットワーク装置は少なくとも１つの端末装置に、前記少なくとも１つの端末装置が前記システム情報を送信するリソースを決定するための第１指示情報を送信するステップをさらに含む。
【００１０】
いくつかの実施形態では、前記第１指示情報は、前記ネットワーク装置が前記システム情報を送信するリソースの位置を指示することに用いられ、又は、前記第１指示情報は前記ネットワーク装置が前記システム情報を送信するリソースの開始位置、及びリソースブロックの時間領域幅とリソースブロックの周波数領域幅のうちの少なくとも一方を指示することに用いられる。
【００１１】
選択肢として、該第１指示情報により指示されるネットワーク装置がシステム情報を送信するリソースは、複数のリソース位置を指示し、且つ該複数のリソース位置のサイズが可変である。又は該第１指示情報はネットワーク装置がシステム情報を送信するリソースとして１つのリソース集合から１つの特定のリソースを選択することを指示するなどであり、本発明の実施例ではそれを限定しない。
【００１２】
本発明の実施例では、第１指示情報はネットワーク装置がシステム情報を送信するリソースの位置を指示し、少なくとも１つの端末装置は第１指示情報により指示されるネットワーク装置がシステム情報を送信するリソースに基づき、システム情報受信用のリソースを決定し、第１指示情報はネットワーク装置がシステム情報を送信するリソースの開始位置及びリソースブロックの時間領域幅とリソースブロックの周波数領域幅のうちの少なくとも一方を指示することに用いられる場合、少なくとも１つの端末装置は、リソースの開始位置とリソースブロックの時間領域幅に基づきシステム情報を受信する時間領域リソースを決定し、少なくとも１つの端末装置は、リソースの開始位置とリソースブロックの周波数領域幅に基づきシステム情報を受信する周波数領域リソースを決定し、少なくとも１つの端末装置は、リソースの開始位置、リソースブロックの時間領域幅及びリソースブロックの周波数領域幅に基づきシステム情報を受信する時間領域と周波数領域リソースを決定する。
【００１３】
いくつかの実施形態では、前記第１指示情報はさらに前記ネットワーク装置が前記システム情報を送信する送信周期を指示することに用いられ、及び／又は、前記第１指示情報はさらに前記システム情報に含まれるコンテンツ情報を指示することに用いられる。
【００１４】
いくつかの実施形態では、前記第１指示情報はさらに前記少なくとも１つの端末装置が前記システム情報を送信するリソース上で前記システム情報を受信する必要があるか否かを指示することに用いられる。
【００１５】
本発明の実施例では、第１指示情報は少なくとも１つの端末装置がシステム情報を送信するリソース上でシステム情報を受信する必要があることを指示する場合、少なくとも１つの端末装置はシステム情報を受信し、具体的には、第１指示情報に基づきシステム情報を受信し、第１指示情報は少なくとも１つの端末装置がシステム情報を送信するリソース上でシステム情報を受信する必要がないことを指示する場合、少なくとも１つの端末装置はシステム情報を送信するリソース上でシステム情報を受信しない。
【００１６】
いくつかの実施形態では、前記第１指示情報はさらに前記ネットワーク装置が前記システム情報の制御情報を送信するリソース位置を指示することに用いられ、又は、前記第１指示情報は前記ネットワーク装置が前記システム情報の制御情報を送信するリソースの開始位置及びリソースブロックの時間領域幅とリソースブロックの周波数領域幅のうちの少なくとも一方を指示することに用いられる。
【００１７】
選択肢として、該第１指示情報はネットワーク装置がシステム情報の制御情報を送信するリソースを指示し、複数のリソース位置を指示し、且つ該複数のリソース位置のサイズが可変である。又は該第１指示情報はネットワーク装置がシステム情報の制御情報を送信するリソースとして１つのリソース集合から１つの特定のリソースを選択することを指示するなどであり、本発明の実施例ではそれを限定しない。
【００１８】
本発明の実施例では、第１指示情報はさらにネットワーク装置がシステム情報の制御情報を送信するリソースを指示し、このように少なくとも１つの端末装置は、第１指示情報の指示に基づき、システム情報の制御情報を送信するリソース上でシステム情報の制御情報を受信し、少なくとも１つの端末装置はシステム情報の制御情報を受信した場合、該システム情報の制御情報により指示されるリソースに基づきシステム情報を受信するリソースを決定し、更に決定したシステム情報を受信するリソースに基づきシステム情報を受信する。
【００１９】
いくつかの実施形態では、前記システム情報の制御情報はさらに前記ネットワーク装置が前記システム情報を送信する送信周期を指示することに用いられ、及び／又は、前記システム情報の制御情報はさらに前記ネットワーク装置が送信した前記システム情報に含まれるコンテンツ情報を指示することに用いられる。
【００２０】
いくつかの実施形態では、前記システム情報の制御情報はさらに少なくとも１つの端末装置がシステム情報を送信するリソース上でシステム情報を受信する必要があるか否かを指示することに用いられ、該システム情報の制御情報は少なくとも１つの端末装置がシステム情報を送信するリソース上でシステム情報を受信する必要があることを指示する場合、少なくとも１つの端末装置はシステム情報を送信するリソース上でシステム情報を受信し、該システム情報の制御情報は少なくとも１つの端末装置がシステム情報を送信するリソース上でシステム情報を受信する必要がないことを指示する場合、少なくとも１つの端末装置はシステム情報を送信するリソース上でシステム情報を受信する必要がない。
【００２１】
いくつかの実施形態では、前記ネットワーク装置が第１指示情報を少なくとも１つの端末装置に送信することは、前記ネットワーク装置が同期情報によって前記少なくとも１つの端末装置に前記第１指示情報を送信するステップを含む。
【００２２】
いくつかの実施形態では、前記ネットワーク装置がシステム情報を送信するリソースを決定することは、前記ネットワーク装置がプリセット設定情報に基づき前記システム情報を送信するリソースを決定するステップを含む。
【００２３】
本発明の実施例では、プリセット設定情報はプロトコルに規定され、又はネットワーク装置と少なくとも１つの端末装置が協議して決定され、本発明の実施例ではそれを限定しない。
【００２４】
いくつかの実施形態では、前記プリセット設定情報は前記ネットワーク装置が前記システム情報を送信するリソースの計算方法を指示することに用いられる。
【００２５】
すなわち、ネットワーク装置は、プリセット設定情報により指示されるネットワーク装置がシステム情報を送信するリソースの計算方法に従って、ネットワーク装置がシステム情報を送信するリソースを計算する。
【００２６】
いくつかの実施形態では、前記プリセット設定情報は前記ネットワーク装置が前記システム情報の制御情報を送信するリソースの計算方法を指示することに用いられる。
【００２７】
すなわち、ネットワーク装置はプリセット設定情報により指示されるネットワーク装置がシステム情報の制御情報を送信するリソースの計算方法に従って、ネットワーク装置がシステム情報の制御情報を送信するリソースを計算する。
【００２８】
いくつかの実施形態では、前記システム情報は、前記少なくとも１つの端末装置が前記システム情報を除くほかのシステム情報を受信するリソースを指示するための第２指示情報を含む。
【００２９】
本発明の実施例では、前記システム情報がネットワーク装置の送信した一部のシステム情報である場合、ネットワーク装置は少なくとも１つの端末装置に送信していない残りのシステム情報のリソースを前記システム情報中で指示し、このように、少なくとも１つの端末装置は前記システム情報を受信すると、前記システム情報に含まれる第２指示情報に基づき残りのシステム情報のリソースを決定し、ここで、ほかのシステム情報はネットワーク装置が少なくとも１つの端末装置に送信していない残りのシステム情報であると理解してもよい。
【００３０】
いくつかの実施形態では、前記第２指示情報はさらに前記少なくとも１つの端末装置が前記ほかのシステム情報を受信する順序を指示することに用いられ、及び／又は、前記第２指示情報はさらに前記ほかのシステム情報のコンテンツ情報を指示することに用いられる。
【００３１】
本発明の実施例では、前記システム情報がネットワーク装置の送信する一部のシステム情報である場合、ネットワーク装置は少なくとも１つの端末装置に送信していない残りのシステム情報の送信順序を第２指示情報によって前記システム情報中で指示し、このように、少なくとも１つの端末装置は前記システム情報を受信すると、前記システム情報に含まれる第２指示情報に基づき残りのシステム情報の受信順序を決定し、少なくとも１つの端末装置は受信順序に基づき残りのシステム情報を受信し、ここで、ほかのシステム情報はネットワーク装置が少なくとも１つの端末装置に送信していない残りのシステム情報であると理解してもよい。
【００３２】
いくつかの実施形態では、前記システム情報はマスタ情報ブロックである。
【００３３】
本発明の実施例では、前記システム情報はマスタ情報ブロックである場合、マスタ情報ブロックは最も主要なシステム情報を含み、たとえばシステム帯域幅、システムフレーム番号、選択情報及び初期アクセス情報等を含み、マスタ情報ブロックはさらに基地局情報を含んでもよいため、少なくとも１つの端末装置によるマスタ情報ブロックの正常受信を確保できる。
【００３４】
選択肢として、前記マスタ情報ブロックはさらに少なくとも１つの端末装置がシステム情報を送信するリソース上で、ネットワーク装置が送信していない残りのシステム情報を受信する必要があるか否かを指示することに用いられる。
【００３５】
第２態様によれば、システム情報の伝送方法を提供し、端末装置は設定された第１リソース上でシステム情報を受信するステップを含む。
【００３６】
本発明の実施例では、端末装置がシステム情報を受信する第１リソースが設定可能であることで、従来技術では端末装置が狭帯域端末装置であるか広帯域端末装置であるかにかかわらず、決定されたシステム情報受信用リソース上でシステム情報を受信することを回避し、本発明の実施例では、端末装置がシステム情報を受信する第１リソースが設定可能であり、たとえば、ネットワーク装置が送信した第１指示情報を受信して第１リソースを設定し、又は端末装置はプロトコルに規定されるプリセット設定情報に基づき第１リソースを決定し、端末装置は広い帯域幅をサポートする場合、広い周波数領域リソース上でシステム情報を同時に受信し、端末装置は狭い帯域幅をサポートする場合、端末装置は狭い帯域幅上でシステム情報を順番に受信し、それにより端末装置がシステム情報を受信する柔軟性を向上させ、それにより端末装置がシステム情報を受信するリソースが制限されることがなくなり、仮にネットワーク装置が広い帯域幅上で複数のシステム情報を送信し、端末装置が広い帯域幅をサポートする場合でも、従来技術では、端末装置は依然として狭帯域でネットワーク装置が送信したシステム情報を順番に受信する必要があるため、システム情報の受信遅延が長く、一方、本発明の実施例では、端末装置が第１リソース上で複数のシステム情報を同時に受信でき、端末装置がシステム情報を受信する遅延を低減できる。
【００３７】
選択肢として、端末装置は設定された第１リソース上でネットワーク装置が送信したシステム情報を受信する。
【００３８】
選択肢として、前記システム情報はネットワーク装置が端末装置に送信する必要があるすべてのシステム情報であってもよく、ネットワーク装置が端末装置に送信する一部のシステム情報であってもよく、たとえば、ＭＩＢであり、すなわちネットワーク装置により決定されたリソースは一部又はすべてのシステム情報を送信し、たとえば、ＬＴＥにおけるＳＩＢ１、ＳＩＢ２、ＳＩＢ３、ＳＩＢ４、ＳＩＢ５、ＳＩＢ６、ＳＩＢ７、ＳＩＢ８等中のすべて又は一部のシステム情報であり、又は将来のネットワークシステムにおける一部又はすべてのシステム情報である。
【００３９】
本発明の実施例では、前記端末装置が設定された第１リソース上でシステム情報を受信する前、前記方法は、前記端末装置は第１指示情報を受信するステップと、前記端末装置は第１指示情報に基づき前記第１リソースを決定するステップと、をさらに含む。
【００４０】
選択肢として、端末装置は同期情報によって第１指示情報を受信する。
【００４１】
選択肢として、端末装置はネットワーク装置がブロードキャスト及び／又はマルチキャスト及び／又はユニキャストする一部又はすべてのシステム情報を受信する。
【００４２】
本発明の実施例では、端末装置は第１指示情報を受信し、第１指示情報に基づき第１リソースを決定し、より具体的には、端末装置はネットワーク装置が送信した第１指示情報を受信し、又は端末装置はほかの端末装置が送信した第１指示情報を受信し、本発明の実施例ではそれを限定しない。
【００４３】
いくつかの実施形態では、前記第１指示情報は前記システム情報を送信するリソースの位置を指示することに用いられ、又は、前記第１指示情報は前記システム情報を送信するリソースの開始位置及びリソースブロックの時間領域幅とリソースブロックの周波数領域幅のうちの少なくとも一方を指示することに用いられ、前記端末装置が前記第１指示情報に基づき前記第１リソースを決定することは、前記端末装置が前記第１指示情報により指示される前記システム情報を送信するリソースの位置に基づき前記第１リソースを決定するステップを含み、又は、前記端末装置が前記第１指示情報により指示される前記システム情報を送信するリソースの開始位置及びリソースブロックの時間領域幅とリソースブロックの周波数領域幅のうちの少なくとも一方に基づき、前記第１リソースを決定するステップを含む。
【００４４】
具体的には、第１指示情報はシステム情報を送信するリソースの開始位置及びリソースブロックの時間領域幅とリソースブロックの周波数領域幅のうちの少なくとも一方を指示することに用いられる場合、端末装置はリソースの開始位置とリソースブロックの時間領域幅に基づきシステム情報を受信する時間領域リソースを決定し、端末装置はリソースの開始位置とリソースブロックの周波数領域幅に基づきシステム情報を受信する周波数領域リソースを決定し、端末装置はリソースの開始位置、リソースブロックの時間領域幅及びリソースブロックの周波数領域幅に基づきシステム情報を受信する時間領域と周波数領域リソースを決定できる。
【００４５】
選択肢として、該第１指示情報はシステム情報を送信するリソースを指示し、複数のリソース位置を指示し、且つ該複数のリソース位置のサイズが可変である。又は該第１指示情報はシステム情報を送信するリソースとして１つのリソース集合から１つの特定のリソースを選択することを指示するなどであり、本発明の実施例ではそれを限定しない。
【００４６】
いくつかの実施形態では、前記第１指示情報はさらに前記システム情報を送信する送信周期を指示することに用いられ、及び／又は、前記第１指示情報はさらに前記システム情報に含まれるコンテンツ情報を指示することに用いられる。
【００４７】
たとえば、第１指示情報はさらにネットワーク装置がＭＩＢを送信する送信周期、又はＳＩＢ１を送信する送信周期を指示し、又は第１指示情報はすべてのシステム情報の送信周期等を指示し、複数のシステム情報の送信周期は同じであってもよく異なってもよく、本発明の実施例ではそれを限定しないことで、少なくとも１つの端末装置はシステム情報の送信周期に基づき、対応するシステム情報を周期的に受信する。たとえば、第１指示情報はさらにＭＩＢがシステムフレーム番号、ダウンリンクシステム帯域幅、物理ハイブリッド自動再伝送インジケータチャネル（Ｐｈｙｓｉｃａｌ  Ｈｙｂｒｉｄ  ＡＲＱ  Ｉｎｄｉｃａｔｏｒ  Ｃｈａｎｎｅｌ、「ＰＨＩＣＨ」と略称する）等のコンテンツ情報を含むことを指示し、たとえば、これらのコンテンツ情報は識別情報によって指示される。また、たとえば、第１指示情報はさらにＳＩＢ１が地上波公共移動通信ネットワーク識別子（Ｐｕｂｌｉｃ  Ｌａｎｄ  Ｍｏｂｉｌｅ  Ｎｅｔｗｏｒｋ  Ｉｄｅｎｔｉｔｙ、「ＰＬＭＮ−ＩＤ」と略称する）、一時アクセス制御（Ｔｅｍｐｏｒａｌ  Ａｃｃｅｓｓ  Ｃｏｎｔｒｏｌ、「ＴＡＣ」と略称する）、セル識別子（Ｃｅｌｌ  ＩＤ）、セル選択情報等を含むことを指示する。また、たとえば、第１指示情報はさらにＳＩＢが自動コールバック（Ａｕｔｏｍａｔｉｃ  Ｃａｌｌ  Ｂａｃｋ、「ＡＣＢ」と略称する）及び公共アクセスリソース等を含むことを指示する。
【００４８】
いくつかの実施形態では、前記第１指示情報はさらに前記システム情報の制御情報を送信するリソースの位置を指示することに用いられ、又は、前記第１指示情報は前記システム情報の制御情報を送信するリソースの開始位置及びリソースブロックの時間領域幅とリソースブロックの周波数領域幅のうちの少なくとも一方を指示することに用いられ、前記端末装置が第１指示情報に基づき前記第１リソースを決定することは、前記端末装置は前記第１指示情報により指示される前記システム情報の制御情報を送信するリソースの位置、又は前記第１指示情報により指示される前記システム情報の制御情報を送信するリソースの開始位置及びリソースブロックの時間領域幅とリソースブロックの周波数領域幅のうちの少なくとも一方に基づき、前記システム情報の制御情報を送信するリソースを決定するステップと、前記端末装置は前記システム情報の制御情報を送信するリソース上で前記システム情報の制御情報を受信するステップと、前記端末装置は前記システム情報の制御情報により指示されるリソースに基づき前記第１リソースを決定するステップと、を含む。
【００４９】
選択肢として、該第１指示情報はシステム情報の制御情報を送信するリソースを指示し、複数のリソース位置を指示し、且つ該複数のリソース位置のサイズが可変である。又は該第１指示情報はシステム情報の制御情報を送信するリソースとして１つのリソース集合から１つの特定のリソースを選択することを指示するなどであり、本発明の実施例ではそれを限定しない。
【００５０】
いくつかの実施形態では、前記システム情報の制御情報はさらに前記システム情報を送信する送信周期を指示することに用いられ、及び／又は、前記システム情報の制御情報はさらに前記システム情報に含まれるコンテンツ情報を指示することに用いられる。勿論、前記システム情報の制御情報はさらにシステム情報の送信順序等を指示してもよく、本発明の実施例ではそれを限定しない。
【００５１】
いくつかの実施形態では、前記システム情報の制御情報はさらに少なくとも１つの端末装置がシステム情報を送信するリソース上でシステム情報を受信する必要があるか否かを指示することに用いられる。該システム情報の制御情報は端末装置がシステム情報を送信するリソース上でシステム情報を受信する必要があることを指示する場合、端末装置はシステム情報を送信するリソース上でシステム情報を受信し、該システム情報の制御情報は端末装置がシステム情報を送信するリソース上でシステム情報を受信する必要がないことを指示する場合、端末装置はシステム情報を送信するリソース上でシステム情報を受信する必要がない。
【００５２】
いくつかの実施形態では、前記端末装置が第１指示情報を受信することは、前記端末装置が同期情報によって前記第１指示情報を受信するステップを含む。
【００５３】
いくつかの実施形態では、前記第１指示情報はさらに前記端末装置が前記第１リソース上で前記システム情報を受信する必要があるか否かを指示することに用いられ、前記端末装置が第１指示情報に基づき前記第１リソースを決定することは、前記第１指示情報はさらに前記端末装置が前記第１リソース上で前記システム情報を受信する必要があることを指示する場合、前記端末装置は前記第１指示情報に基づき前記第１リソースを決定するステップを含む。
【００５４】
いくつかの実施形態では、前記端末装置が設定された第１リソース上でシステム情報を受信する前、前記方法は、前記端末装置がプリセット設定情報に基づき前記第１リソースを決定するステップをさらに含む。
【００５５】
本発明の実施例では、プリセット設定情報はプロトコルに規定され、又はネットワーク装置と少なくとも１つの端末装置が協議して決定され、本発明の実施例ではそれを限定しない。
【００５６】
いくつかの実施形態では、前記プリセット設定情報は前記第１リソースの計算方法を指示することに用いられ、前記端末装置がプリセット設定情報に基づき前記第１リソースを決定することは、前記端末装置が前記プリセット設定情報により指示される前記第１リソースの計算方法に従って前記第１リソースを決定するステップを含む。
【００５７】
いくつかの実施形態では、前記プリセット設定情報は前記システム情報の制御情報を送信するリソースの計算方法を指示することに用いられ、前記端末装置がプリセット設定情報に基づき前記第１リソースを決定することは、前記端末装置は前記プリセット設定情報により指示される前記システム情報の制御情報を送信するリソースの計算方法に従って、前記システム情報の制御情報を送信するリソースを計算するステップと、前記端末装置は前記システム情報の制御情報を送信するリソース上で前記システム情報の制御情報を受信するステップと、前記端末装置は前記システム情報の制御情報により指示されるリソースに基づき前記第１リソースを決定するステップと、を含む。
【００５８】
いくつかの実施形態では、前記端末装置が設定された第１リソース上でシステム情報を受信することは、前記端末装置が自体のサポートする帯域幅に基づき前記システム情報を同時に又は順番に受信するステップを含む。
【００５９】
本発明の実施例では、端末装置が広い帯域幅をサポートする場合、第１リソースが広い帯域幅リソースに属し、ネットワーク装置が第１リソース上で複数のシステム情報を送信すると、端末装置は第１リソース上で複数のシステム情報を同時に受信し、端末装置が狭い帯域幅をサポートする場合、第１リソースが広いリソースに属し、ネットワーク装置が第１リソース上で複数のシステム情報を送信すると、端末装置は第１リソース上で複数のシステム情報を順番に受信する。具体的には、第２指示情報により指示される順序に応じて複数のシステム情報を受信してもよい。
【００６０】
いくつかの実施形態では、前記システム情報は、前記端末装置が前記システム情報を除くほかのシステム情報を受信するリソースを指示するための第２指示情報を含み、前記端末装置が設定された第１リソース上でシステム情報を受信した後、前記方法は、前記端末装置は前記第２指示情報に基づき前記システム情報を除くほかのシステム情報を受信するリソース上で前記ほかのシステム情報を受信するステップをさらに含む。
【００６１】
本発明の実施例では、前記システム情報がネットワーク装置の送信する一部のシステム情報である場合、ネットワーク装置は端末装置に送信していない残りのシステム情報のリソースを前記システム情報中で指示し、このように、端末装置は前記システム情報を受信すると、前記システム情報に含まれる第２指示情報に基づき残りのシステム情報のリソースを決定し、ここで、ほかのシステム情報はネットワーク装置が端末装置に送信していない残りのシステム情報であると理解してもよい。
【００６２】
いくつかの実施形態では、前記第２指示情報はさらに前記端末装置が前記ほかのシステム情報を受信する順序を指示することに用いられ、及び／又は、前記第２指示情報はさらに前記ほかのシステム情報のコンテンツ情報を指示することに用いられる。
【００６３】
本発明の実施例では、前記システム情報がネットワーク装置の送信する一部のシステム情報である場合、ネットワーク装置は端末装置に送信していない残りのシステム情報の送信順序を第２指示情報によって前記システム情報中で指示し、このように、端末装置は前記システム情報を受信すると、前記システム情報に含まれる第２指示情報に基づき残りのシステム情報の受信順序を決定し、端末装置は受信順序に基づき残りのシステム情報を受信し、ここで、ほかのシステム情報はネットワーク装置が端末装置に送信していない残りのシステム情報であると理解してもよい。
【００６４】
いくつかの実施形態では、前記システム情報はマスタシステム情報ブロックである。
【００６５】
選択肢として、前記マスタ情報ブロックはさらに前記端末装置がシステム情報を送信するリソース上で、送信していない残りのシステム情報を受信する必要があるか否かを指示することに用いられる。
【００６６】
第３態様によれば、システム情報の伝送装置を提供し、上記第１態様又は第１態様のいずれかの可能な実施形態に記載の方法を実行する。具体的には、該装置は、上記第１態様又は第１態様のいずれかの可能な実施形態に記載の方法を実行するユニットを備える。
【００６７】
第４態様によれば、システム情報の伝送装置を提供し、上記第２態様又は第２態様のいずれかの可能な実施形態に記載の方法を実行する。具体的には、該装置は、上記第２態様又は第２態様のいずれかの可能な実施形態に記載の方法を実行するユニットを備える。
【００６８】
第５態様によれば、システム情報の伝送装置を提供し、送受信機及びプロセッサを備え、該装置は第１態様又はそのいずれかの可能な実施形態に記載の方法を実行する。
【００６９】
第６態様によれば、システム情報の伝送システムを提供し、第３態様又はそのいずれかの可能な実施形態に記載の装置、及び第４態様又はそのいずれかの可能な実施形態に記載の装置を備える。
【００７０】
第７態様によれば、システム情報の伝送装置を提供し、送受信機及びプロセッサを備え、該装置は第２態様又はそのいずれかの可能な実施形態に記載の方法を実行する。
【００７１】
第８態様によれば、コンピュータ可読媒体を提供し、ネットワーク装置により実行されるプログラムコードが記憶され、前記プログラムコードは第１態様又はその各種の実施形態に記載の方法を実行するための命令を含む。
【００７２】
第９態様によれば、コンピュータ可読媒体を提供し、端末装置により実行されるプログラムコードが記憶され、前記プログラムコードは第２態様又はその各種の実施形態に記載の方法を実行するための命令を含む。
【図面の簡単な説明】
【００７３】
【図１】図１は本発明の実施例に係るシステム情報の伝送方法の模式図である。
【図２】図２は本発明の実施例に係る他のシステム情報の伝送方法の模式図である。
【図３】図３は本発明の実施例に係るさらに他のシステム情報の伝送方法の模式図である。
【図４】図４は本発明の実施例に係るさらに他のシステム情報の伝送方法の模式図である。
【図５】図５は本発明の実施例に係るさらに他のシステム情報の伝送方法の模式図である。
【図６】図６は本発明の実施例に係るさらに他のシステム情報の伝送方法の模式図である。
【図７】図７は本発明の実施例に係るシステム情報の伝送装置の模式図である。
【図８】図８は本発明の実施例に係る他のシステム情報の伝送装置の模式図である。
【図９】図９は本発明の実施例に係るシステム情報の伝送システムの模式図である。
【図１０】図１０は本発明の実施例に係るシステム情報の伝送装置の模式図である。
【図１１】図１１は本発明の実施例に係る他のシステム情報の伝送装置の模式図である。
【発明を実施するための形態】
【００７４】
理解すべきなのは、本発明の実施例に係る技術案は、たとえば、モバイル通信用グローバル（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称する）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称する）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称する）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称する）、ＬＴＥシステム、ＬＴＥ周波数分割複信（Ｆｒｅｑｕｅｎｃｙ  Ｄｉｖｉｓｉｏｎ  Ｄｕｐｌｅｘ、「ＦＤＤ」と略称する）システム、ＬＴＥ時分割複信（Ｔｉｍｅ  Ｄｉｖｉｓｉｏｎ  Ｄｕｐｌｅｘ、「ＴＤＤ」と略称する）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称する）又はワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称する）通信システム、及び将来に出現する可能性がある通信システム等の各種の通信システムに適用できる。
【００７５】
さらに理解すべきなのは、本発明の実施例では、端末装置はユーザー装置（Ｕｓｅｒ  Ｅｑｕｉｐｍｅｎｔ、「ＵＥ」と略称する）、端末装置、移動局（Ｍｏｂｉｌｅ  Ｓｔａｔｉｏｎ、「ＭＳ」と略称する）、モバイル端末（Ｍｏｂｉｌｅ  Ｔｅｒｍｉｎａｌ）又は将来の５Ｇネットワーク中の端末装置等と呼ばれてもよく、該端末装置は無線アクセスネットワーク（Ｒａｄｉｏ  Ａｃｃｅｓｓ  Ｎｅｔｗｏｒｋ、「ＲＡＮ」と略称する）を介して１つ又は複数のコアネットワークと通信可能であり、たとえば、端末は携帯電話（又は「セルラーホン」という）、又はモバイル端末を備えたコンピュータ等であり、たとえば、端末は携帯型、ポケット型、手持ち式、コンピュータに内蔵されたもの又は車載型モバイル装置であり、無線アクセスネットワークと音声及び／又はデータを交換する。
【００７６】
ネットワーク装置はモバイル装置と通信可能であり、モバイル通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称する）又は符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称する）における基地局（ＢａｓｅＴｒａｎｓｃｅｉｖｅｒＳｔａｔｉｏｎ、「ＢＴＳ」と略称する）であってもよく、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称する）における基地局（ＮｏｄｅＢ、「ＮＢ」と略称する）であってもよく、ＬＴＥにおける発展型基地局（Ｅｖｏｌｕｔｉｏｎａｌ  Ｎｏｄｅ  Ｂ、「ｅＮＢ」又は「ｅＮｏｄｅＢ」と略称する）、又は中継局又はアクセスポイント、又は車載装置、ウェアラブル装置及び将来の５Ｇネットワークにおけるアクセスネットワーク装置であってもよい。
【００７７】
本発明の実施例では、端末装置がネットワーク装置に送信可能な伝送システム情報信号はｐｒｅａｍｂｌｅであってもよく、たとえば、物理ランダムアクセスチャネル（Ｐｈｙｓｉｃａｌ  Ｒａｎｄｏｍ  Ａｃｃｅｓｓ  Ｃｈａｎｎｅｌ、「ＰＲＡＣＨ」と略称する）上で伝送システム情報信号を送信し、ネットワーク装置が端末装置の送信した伝送システム情報信号を受信すると、端末装置はネットワーク装置に端末装置のアクセス成功を通知するためのランダムアクセス応答（Ｒａｎｄｏｍ  Ａｃｃｅｓｓ  Ｒｅｓｐｏｎｓｅ、「ＲＡＲ」と略称する）を送信する。
【００７８】
図１は本発明の実施例に係るシステム情報の伝送方法１００を模式的に示すフローチャートである。図１は本発明の実施例に係るシステム情報の伝送方法のステップ又は操作を示しているが、これらのステップ又は操作は例に過ぎず、本発明の実施例はさらにほかの操作又は図１の各操作の変形を実行でき、該方法１００はステップＳ１１０〜Ｓ１２０を含む。
【００７９】
Ｓ１１０、ネットワーク装置は、システム情報を送信するリソースを決定する。
【００８０】
Ｓ１２０、前記ネットワーク装置は、前記システム情報を送信するリソース上で前記システム情報を送信する。
【００８１】
図２は本発明の実施例に係るシステム情報の伝送方法２００を模式的に示すフローチャートである。図２は本発明の実施例に係るシステム情報の伝送方法のステップ又は操作を示しているが、これらのステップ又は操作は例に過ぎず、本発明の実施例はさらにほかの操作又は図２の各操作の変形を実行でき、該方法２００はステップＳ２１０を含む。
【００８２】
Ｓ２１０、端末装置は、設定された第１リソース上でシステム情報を受信する。
【００８３】
理解すべきなのは、Ｓ２１０における第１リソースはＳ１１０でシステム情報を送信するリソースであってもよい。
【００８４】
従って、ネットワーク装置はシステム情報を送信するリソースを決定し、決定したシステム情報を送信するリソース上でシステム情報を送信することができることにより、端末装置はそれ自体の能力に応じてネットワーク装置がシステム情報を送信するリソース上でシステム情報を受信することができ、たとえば、端末装置は広い帯域幅をサポートする場合、ネットワーク装置がシステム情報を送信するリソース上でシステム情報を一括受信でき、端末装置は狭い帯域幅をサポートする場合、それ自体がサポートする帯域幅上でネットワーク装置が送信するシステム情報を順番に受信できる。
【００８５】
選択肢として、Ｓ２１０は、前記端末装置が自体のサポートする帯域幅に基づき前記システム情報を同時に又は順番に受信するステップを含む。端末装置が広い帯域幅をサポートする場合、第１リソースが広い帯域幅リソースに属し、ネットワーク装置が第１リソース上で複数のシステム情報を送信すると、端末装置は第１リソース上で複数のシステム情報を同時に受信し、端末装置が狭い帯域幅をサポートする場合、第１リソースが広いリソースに属し、ネットワーク装置が第１リソース上で複数のシステム情報を送信すると、端末装置は第１リソース上で複数のシステム情報を順番に受信する。具体的には、第２指示情報により指示される順序に応じて複数のシステム情報を受信してもよい。
【００８６】
選択肢として、前記システム情報はネットワーク装置が少なくとも１つの端末装置に送信する必要があるすべてのシステム情報であってもよく、ネットワーク装置が少なくとも１つの端末装置に送信する一部のシステム情報であってもよく、たとえば、ＬＴＥにおけるＭＩＢであり、すなわちネットワーク装置により決定されるリソースは一部又はすべてのシステム情報を送信し、たとえば、ＬＴＥにおけるＳＩＢ１、ＳＩＢ２、ＳＩＢ３、ＳＩＢ４、ＳＩＢ５、ＳＩＢ６、ＳＩＢ７、ＳＩＢ８等中のすべて又は一部のシステム情報であり、又は前記システム情報は将来の通信システムにおけるすべて又は一部のシステム情報であり、将来の通信システムにおけるシステム情報の分割はＬＴＥシステムにおけるシステム情報の分割方式を採用してもよく、システム情報のほかの分割方式を採用してもよく、本発明の実施例ではそれを限定しない。将来の通信システムのシステム情報はＬＴＥにおけるシステム情報に含まれるコンテンツを含むが、それに限定されず、ほかのコンテンツを含んでもよく、本発明の実施例では、それに限定されない。理解すべきなのは、Ｓ２１０における端末装置は少なくとも１つの端末装置のうちのいずれかの端末装置である。
【００８７】
端末装置が第１リソースを決定する方式は２つの部分に分けられ、第１部分は、送信された第１指示情報に基づき前記第１リソースを決定することであり、第２部分は、ネットワーク装置がプリセット設定情報に基づきシステム情報を送信するリソースを決定し、端末装置がプリセット設定情報に基づきシステム情報を受信する第１リソースを決定することである。
【００８８】
第１部分において、ネットワーク装置は端末装置に第１指示情報を送信し、端末装置は第１指示情報に基づき第１リソースを決定し、以下、第１部分について説明する。
【００８９】
一選択可能な実施形態として、Ｓ１１０の前、方法１００は、前記ネットワーク装置は少なくとも１つの端末装置に、前記少なくとも１つの端末装置が前記システム情報を送信するリソースを決定するための第１指示情報を送信するステップをさらに含む。Ｓ２１０の前、方法２００は、前記端末装置は第１指示情報を受信するステップと、前記端末装置は第１指示情報に基づき前記第１リソースを決定するステップと、をさらに含む。具体的には、端末装置はネットワーク装置が送信した第１指示情報を受信する。たとえば、図３に示すように、図３中のボックス中の１は第１指示情報を送信するリソースを示し、たとえば、同期情報のリソースであり、たとえば、該第１指示情報はシステム情報によって送信され、図３中のボックス中の３はネットワーク装置が少なくとも１つの端末装置にシステム情報を送信するリソース、端末装置がシステム情報を受信するリソースを示す。
【００９０】
選択肢として、前記ネットワーク装置は同期情報によって第１指示情報を少なくとも１つの端末装置に送信し、前記端末装置は同期情報によって第１指示情報を受信する。
【００９１】
具体的には、ネットワーク装置は、少なくとも１つの端末装置が正確なリソース上でシステム情報を受信できるために、ネットワーク装置がシステム情報を送信するリソースを第１指示情報の方式によって少なくとも１つの端末装置に通知し、たとえば同期情報によって少なくとも１つの端末装置に該第１指示情報を送信し、少なくとも１つの端末装置は該第１指示情報に基づきシステム情報を受信するリソースを決定し、このように少なくとも１つの端末装置は自体のサポートする帯域幅と第１指示情報に基づき、ネットワーク装置がブロードキャスト及び／又はマルチキャスト及び／又はユニキャストによって送信したシステム情報を受信でき、ネットワーク装置がシステム情報を送信する柔軟性及び少なくとも１つの端末装置がシステム情報を受信する柔軟性を向上させる。
【００９２】
選択肢として、前記第１指示情報はさらに前記少なくとも１つの端末装置が前記システム情報を送信するリソース上で前記システム情報を受信する必要があるか否かを指示することに用いられる。前記端末装置が第１指示情報に基づき前記第１リソースを決定することは、前記第１指示情報はさらに前記少なくとも１つの端末装置が前記第１リソース上で前記システム情報を受信する必要があることを指示する場合、前記端末装置は前記第１指示情報に基づき前記第１リソースを決定するステップを含む。
【００９３】
理解すべきなのは、システム情報の制御情報又はマスタ情報ブロックは、前記少なくとも１つの端末装置が前記システム情報を送信するリソース上で前記システム情報を受信する必要があるか否かを指示してもよい。
【００９４】
一選択可能な実施形態として、前記第１指示情報は前記ネットワーク装置が前記システム情報を送信するリソースの位置を指示することに用いられ、又は、前記第１指示情報は前記ネットワーク装置が前記システム情報を送信するリソースの開始位置、及びリソースブロックの時間領域幅とリソースブロックの周波数領域幅のうちの少なくとも一方を指示することに用いられる。前記端末装置が前記第１指示情報に基づき前記第１リソースを決定することは、前記端末装置が前記第１指示情報により指示される前記システム情報を送信するリソースの位置に基づき前記第１リソースを決定するステップを含み、又は前記端末装置が前記第１指示情報により指示される前記システム情報を送信するリソースの開始位置及びリソースブロックの時間領域幅とリソースブロックの周波数領域幅のうちの少なくとも一方に基づき、前記第１リソースを決定するステップを含む。具体的には、第１指示情報はネットワーク装置がシステム情報を送信するリソースの位置を指示し、端末装置は第１指示情報により指示されるネットワーク装置がシステム情報を送信するリソースに基づき第１リソースの受信を決定し、第１指示情報はネットワーク装置がシステム情報を送信するリソースの開始位置及びリソースブロックの時間領域幅とリソースブロックの周波数領域幅のうちの少なくとも一方を指示することに用いられる場合、端末装置はリソースの開始位置とリソースブロックの時間領域幅に基づきシステム情報を受信する時間領域リソースを決定し、該時間領域リソースは第１リソースであってもよく、端末装置はリソースの開始位置とリソースブロックの周波数領域幅に基づきシステム情報を受信する周波数領域リソースを決定し、該周波数領域リソースは第１リソースであってもよく、端末装置はリソースの開始位置、リソースブロックの時間領域幅及びリソースブロックの周波数領域幅に基づきシステム情報を受信する時間領域と周波数領域リソースを決定し、該時間領域リソースと周波数領域リソースは第１リソースであってもよい。
【００９５】
選択肢として、該第１指示情報により指示されるネットワーク装置がシステム情報を送信するリソースは、複数のリソース位置を指示し、且つ該複数のリソース位置のサイズが可変である。又は該第１指示情報はネットワーク装置がシステム情報を送信するリソースとして１つのリソース集合から１つの特定のリソースを選択することを指示するなどであり、本発明の実施例ではそれを限定しない。
【００９６】
一選択可能な実施形態として、前記第１指示情報はさらに前記システム情報を送信する送信周期を指示することに用いられ、及び／又は、前記第１指示情報はさらに前記システム情報に含まれるコンテンツ情報を指示することに用いられる。具体的には、前記第１指示情報はさらに前記ネットワーク装置が前記システム情報を送信する送信周期を指示することに用いられる。
【００９７】
たとえば、第１指示情報はさらにネットワーク装置がＭＩＢを送信する送信周期、又はＳＩＢ１を送信する送信周期を指示し、又は第１指示情報はすべてのシステム情報の送信周期等を指示し、具体的には、第１指示情報はさらに将来のネットワークシステムにおけるすべてのシステム情報又は一部のシステム情報の送信周期を指示し、複数のシステム情報の送信周期は同じであってもよく異なってもよく、本発明の実施例ではそれを限定しなく、すると、少なくとも１つの端末装置はシステム情報の送信周期に基づき、対応するシステム情報を周期的に受信できる。たとえば、第１指示情報はさらにＭＩＢがシステムフレーム番号、ダウンリンクシステム帯域幅、物理ハイブリッド自動再伝送インジケータチャネルＰＨＩＣＨ等のコンテンツ情報を含むことを指示し、たとえば、これらのコンテンツ情報は識別情報によって指示される。また、たとえば、第１指示情報はさらにＳＩＢ１が地上波公共移動通信ネットワーク識別子ＰＬＭＮ−ＩＤ、ＴＡＣ、ＣｅｌｌＩＤ、セル選択情報等を含むことを指示する。また、たとえば、第１指示情報はさらにＳＩＢがＡＣＢ及び公共アクセスリソース等を含むことを指示する。
【００９８】
一選択可能な実施形態として、前記第１指示情報はさらに前記ネットワーク装置が前記システム情報の制御情報を送信するリソース位置を指示することに用いられ、又は、前記第１指示情報は前記ネットワーク装置が前記システム情報の制御情報を送信するリソースの開始位置及びリソースブロックの時間領域幅とリソースブロックの周波数領域幅のうちの少なくとも一方を指示することに用いられる。前記端末装置が第１指示情報に基づき前記第１リソースを決定することは、前記端末装置は前記第１指示情報により指示される前記システム情報の制御情報を送信するリソースの位置、又は前記第１指示情報により指示される前記システム情報の制御情報を送信するリソースの開始位置及びリソースブロックの時間領域幅とリソースブロックの周波数領域幅のうちの少なくとも一方に基づき、前記システム情報の制御情報を送信するリソースを決定するステップと、前記端末装置は前記システム情報の制御情報を送信するリソース上で前記システム情報の制御情報を受信するステップと、前記端末装置は前記システム情報の制御情報により指示されるリソースに基づき前記第１リソースを決定するステップと、を含み、たとえば、図４に示すように、ボックス中の１は第１指示情報を送信するリソースを示し、たとえば、同期情報のリソースであり、ボックス中の２は第１指示情報により指示されるネットワーク装置がシステム情報の制御情報を送信するリソースを示し、ボックス中の３はシステム情報の制御情報により指示されるシステム情報を送信するリソースである。
【００９９】
具体的には、第１指示情報はさらにネットワーク装置がシステム情報の制御情報を送信するリソースを指示し、このように端末装置は第１指示情報の指示に基づき、システム情報の制御情報を送信するリソース上でシステム情報の制御情報を受信し、端末装置はシステム情報の制御情報を受信すると、該システム情報の制御情報により指示されるリソースに基づきシステム情報を受信するリソースを決定し、更に決定したシステム情報を受信するリソースに基づきシステム情報を受信する。
【０１００】
選択肢として、該第１指示情報はネットワーク装置がシステム情報の制御情報を送信するリソースを指示し、複数のリソース位置を指示し、且つ該複数のリソース位置のサイズが可変である。又は該第１指示情報はネットワーク装置がシステム情報の制御情報を送信するリソースとして１つのリソース集合から１つの特定のリソースを選択することを指示するなどであり、本発明の実施例ではそれを限定しない。
【０１０１】
一選択可能な実施形態として、前記システム情報の制御情報はさらに前記システム情報を送信する送信周期を指示することに用いられ、及び／又は、前記システム情報の制御情報はさらに前記システム情報に含まれるコンテンツ情報の送信を指示することに用いられる。
【０１０２】
第２部分において、ネットワーク装置はプリセット設定情報に基づきシステム情報を送信するリソースを決定し、端末装置はプリセット設定情報に基づきシステム情報を受信する第１リソースを決定し、ここで、第１リソースはシステム情報を送信するリソースであってもよい。以下、第２部分について説明する。
【０１０３】
一選択可能な実施形態として、Ｓ１１０は、前記ネットワーク装置がプリセット設定情報に基づき前記システム情報を送信するリソースを決定するステップを含む。Ｓ２１０の前、方法２００は、前記端末装置がプリセット設定情報に基づき前記第１リソースを決定するステップを含む。プリセット設定情報はプロトコルに規定され、又はネットワーク装置と少なくとも１つの端末装置が協議して決定され、本発明の実施例ではそれを限定しない。
【０１０４】
一選択可能な実施形態として、前記プリセット設定情報は前記ネットワーク装置が前記システム情報を送信するリソースの計算方法を指示することに用いられる。ネットワーク装置は、プリセット設定情報により指示されるネットワーク装置がシステム情報を送信するリソースの計算方法に従って、ネットワーク装置がシステム情報を送信するリソースを計算する。前記端末装置がプリセット設定情報に基づき前記第１リソースを決定することは、前記端末装置は前記プリセット設定情報により指示される前記第１リソースの計算方法に従って前記第１リソースを決定するステップを含む。たとえば、図５に示すように、図５中のボックス中の３はネットワーク装置がシステム情報を送信するリソースを示し、ネットワーク装置がシステム情報を送信するリソースはプリセット設定情報に基づき決定され、端末装置はこれらのリソース上でシステム情報を受信でき、具体的には、端末装置は自体がサポートする帯域幅に基づきこれらのリソース上でシステム情報を受信できる。
【０１０５】
一選択可能な実施形態として、前記プリセット設定情報は前記ネットワーク装置が前記システム情報の制御情報を送信するリソースの計算方法を指示することに用いられる。ネットワーク装置はプリセット設定情報により指示されるネットワーク装置がシステム情報の制御情報を送信するリソースの計算方法に従って、ネットワーク装置がシステム情報の制御情報を送信するリソースを計算する。前記端末装置がプリセット設定情報に基づき前記第１リソースを決定することは、前記端末装置は前記プリセット設定情報により指示される前記システム情報の制御情報を送信するリソースの計算方法に従って、前記システム情報の制御情報を送信するリソースを計算するステップと、前記端末装置は前記システム情報の制御情報を送信するリソース上で前記システム情報の制御情報を受信するステップと、前記端末装置は前記システム情報の制御情報により指示されるリソースに基づき前記第１リソースを決定するステップと、を含む。たとえば、図６に示すように、図６中のボックス中の２はシステム情報の制御情報を送受信するリソースを示し、図６中のボックス中の３はシステム情報を送受信するリソースを示し、ネットワーク装置はプリセット設定情報に基づきネットワーク装置がシステム情報の制御情報を送信するリソースを決定し、ネットワーク装置はシステム情報の制御情報により指示されるシステム情報を送信するリソースに基づき、ネットワーク装置がシステム情報を送信するリソースを決定し、端末装置はプリセット設定情報に基づきシステム情報の制御情報を受信するリソースを決定し、端末装置はシステム情報の制御情報により指示されるシステム情報を受信する第１リソース上でシステム情報を受信する。
【０１０６】
一選択可能な実施形態として、前記システム情報は、前記少なくとも１つの端末装置が前記システム情報を除くほかのシステム情報を受信するリソースを指示するための第２指示情報を含む。Ｓ２１０の後、前記方法２００は、前記端末装置は前記第２指示情報に基づき前記システム情報を除くほかのシステム情報を受信するリソース上で前記ほかのシステム情報を受信するステップをさらに含む。
【０１０７】
具体的には、前記システム情報がネットワーク装置の送信する一部のシステム情報である場合、ネットワーク装置は少なくとも１つの端末装置に送信していない残りのシステム情報のリソースを前記システム情報中で指示し、このように、少なくとも１つの端末装置は前記システム情報を受信すると、前記システム情報に含まれる第２指示情報に基づき残りのシステム情報のリソースを決定し、ここで、ほかのシステム情報はネットワーク装置が少なくとも１つの端末装置に送信していない残りのシステム情報であると理解してもよい。
【０１０８】
一選択可能な実施形態として、前記第２指示情報はさらに前記端末装置が前記ほかのシステム情報を受信する順序を指示することに用いられ、及び／又は、前記第２指示情報はさらに前記ほかのシステム情報のコンテンツ情報を指示することに用いられる。Ｓ２１０の後、前記方法２００は、前記端末装置は前記第２指示情報により指示される前記システム情報を除くほかのシステム情報を受信する順序に応じて前記ほかのシステム情報を受信するステップをさらに含む。
【０１０９】
具体的には、前記システム情報がネットワーク装置の送信する一部のシステム情報である場合、ネットワーク装置は端末装置に送信していない残りのシステム情報の送信順序を第２指示情報によって前記システム情報中で指示し、このように、端末装置は前記システム情報を受信すると、前記システム情報に含まれる第２指示情報に基づき残りのシステム情報の受信順序を決定し、端末装置は受信順序に基づき残りのシステム情報を受信し、ここで、ほかのシステム情報はネットワーク装置が少なくとも１つの端末装置に送信していない残りのシステム情報であると理解してもよい。
【０１１０】
一選択可能な実施形態として、前記システム情報はマスタ情報ブロックである。前記システム情報がマスタ情報ブロックである場合、マスタ情報ブロックは最も主要なシステム情報を含み、たとえばシステム帯域幅、システムフレーム番号、選択情報及び初期アクセス情報等を含み、マスタ情報ブロックはさらに基地局の情報を含んでもよい。このように、少なくとも１つの端末装置によるマスタ情報ブロックの正常受信を確保できる。
【０１１１】
理解すべきなのは、図３〜図６中のＸ軸は時間領域（ｔ）、Ｙ軸は周波数領域（ｆ）を示す。
【０１１２】
図７は本願の実施例に係るシステム情報の伝送装置３００を模式的に示すブロック図であり、該装置は方法１００中のネットワーク装置であってもよい。図７に示すように、該装置３００は、決定モジュール３１０及び送信モジュール３２０を備え、
決定モジュール３１０は、システム情報を送信するリソースを決定し、
送信モジュール３２０は、前記システム情報を送信するリソース上で前記システム情報を送信する。
【０１１３】
一選択可能な実施形態として、前記送信モジュール３２０はさらに、前記システム情報を送信するリソース上で前記システム情報を送信する前、少なくとも１つの端末装置に、前記少なくとも１つの端末装置が前記システム情報を送信するリソースを決定するための第１指示情報を送信する。
【０１１４】
一選択可能な実施形態として、前記第１指示情報は前記システム情報を送信するリソースの位置を指示することに用いられ、又は、前記第１指示情報は前記システム情報を送信するリソースの開始位置及びリソースブロックの時間領域幅とリソースブロックの周波数領域幅のうちの少なくとも一方を指示することに用いられる。
【０１１５】
一選択可能な実施形態として、前記第１指示情報はさらに前記システム情報を送信する送信周期を指示することに用いられ、及び／又は、前記第１指示情報はさらに前記システム情報に含まれるコンテンツ情報を指示することに用いられる。
【０１１６】
一選択可能な実施形態として、前記第１指示情報はさらに前記システム情報の制御情報を送信するリソースの位置を指示することに用いられ、又は、前記第１指示情報は前記システム情報の制御情報を送信するリソースの開始位置及びリソースブロックの時間領域幅とリソースブロックの周波数領域幅のうちの少なくとも一方を指示することに用いられる。
【０１１７】
一選択可能な実施形態として、前記システム情報の制御情報はさらに前記システム情報を送信する送信周期を指示することに用いられ、及び／又は、前記システム情報の制御情報はさらに送信される前記システム情報に含まれるコンテンツ情報を指示することに用いられる。
【０１１８】
一選択可能な実施形態として、前記送信モジュール３２０は具体的には、同期情報によって前記少なくとも１つの端末装置に前記第１指示情報を送信する。
【０１１９】
一選択可能な実施形態として、前記第１指示情報はさらに前記少なくとも１つの端末装置が前記システム情報を送信するリソース上で前記システム情報を受信する必要があるか否かを指示することに用いられる。
【０１２０】
一選択可能な実施形態として、前記決定モジュール３１０は具体的には、プリセット設定情報に基づき前記システム情報を送信するリソースを決定することに用いられる。
【０１２１】
一選択可能な実施形態として、前記プリセット設定情報は前記システム情報を送信するリソースの計算方法を指示することに用いられる。
【０１２２】
一選択可能な実施形態として、前記プリセット設定情報は前記システム情報の制御情報を送信するリソースの計算方法を指示することに用いられる。
【０１２３】
一選択可能な実施形態として、前記システム情報は、前記少なくとも１つの端末装置が前記システム情報を除くほかのシステム情報を受信するリソースを指示するための第２指示情報を含む。
【０１２４】
一選択可能な実施形態として、前記第２指示情報はさらに前記少なくとも１つの端末装置が前記ほかのシステム情報を受信する順序を指示することに用いられ、及び／又は、前記第２指示情報はさらに前記ほかのシステム情報のコンテンツ情報を指示することに用いられる。
【０１２５】
一選択可能な実施形態として、前記システム情報はマスタ情報ブロックである。
【０１２６】
図８は本願の実施例に係るシステム情報の伝送装置４００を模式的に示すブロック図であり、該装置は方法２００中の端末装置であってもよい。図８に示すように、該装置４００は受信モジュール４１０及び第１決定モジュール４２０を備え、
受信モジュール４１０は、設定された第１リソース上でシステム情報を受信する。
【０１２７】
一選択可能な実施形態として、前記受信モジュール４１０はさらに、前記設定された第１リソース上でシステム情報を受信する前、第１指示情報を受信し、第１決定モジュール４２０は、第１指示情報に基づき前記第１リソースを決定する。
【０１２８】
一選択可能な実施形態として、前記第１指示情報は前記システム情報を送信するリソースの位置を指示することに用いられ、又は、前記第１指示情報は前記システム情報を送信するリソースの開始位置及びリソースブロックの時間領域幅とリソースブロックの周波数領域幅のうちの少なくとも一方を指示することに用いられ、前記第１決定モジュール４２０は具体的には、前記第１指示情報により指示される前記システム情報を送信するリソースの位置に基づき前記第１リソースを決定し、又は前記第１決定モジュール４２０は具体的には、さらに前記第１指示情報により指示される前記システム情報を送信するリソースの開始位置及びリソースブロックの時間領域幅とリソースブロックの周波数領域幅のうちの少なくとも一方に基づき、前記第１リソースを決定する。
【０１２９】
一選択可能な実施形態として、前記第１指示情報はさらに前記システム情報を送信する送信周期を指示することに用いられ、及び／又は、前記第１指示情報はさらに前記システム情報に含まれるコンテンツ情報を指示することに用いられる。
【０１３０】
一選択可能な実施形態として、前記第１指示情報はさらに前記システム情報の制御情報を送信するリソースの位置を指示することに用いられ、又は、前記第１指示情報は前記システム情報の制御情報を送信するリソースの開始位置及びリソースブロックの時間領域幅とリソースブロックの周波数領域幅のうちの少なくとも一方を指示することに用いられ、前記第１決定モジュール４２０は具体的には、前記第１指示情報により指示される前記システム情報の制御情報を送信するリソースの位置、又は、前記第１指示情報により指示される前記システム情報の制御情報を送信するリソースの開始位置及びリソースブロックの時間領域幅とリソースブロックの周波数領域幅のうちの少なくとも一方に基づき、前記システム情報の制御情報を送信するリソースを決定し、前記受信モジュール４１０はさらに、前記システム情報の制御情報を送信するリソース上で前記システム情報の制御情報を受信し、前記第１決定モジュール４２０は具体的には、前記システム情報の制御情報により指示されるリソースに基づき前記第１リソースを決定する。
【０１３１】
一選択可能な実施形態として、前記システム情報の制御情報はさらに前記システム情報を送信する送信周期を指示することに用いられ、及び／又は、前記システム情報の制御情報はさらに前記システム情報に含まれるコンテンツ情報を指示することに用いられる。
【０１３２】
一選択可能な実施形態として、前記受信モジュール４１０は具体的には、同期情報によって前記第１指示情報を受信する。
【０１３３】
一選択可能な実施形態として、前記第１指示情報はさらに前記装置が前記第１リソース上で前記システム情報を受信する必要があるか否かを指示することに用いられ、前記第１決定モジュール４２０は具体的には、前記第１指示情報はさらに前記装置が前記第１リソース上で前記システム情報を受信する必要があることを指示することに用いられる場合、前記第１指示情報に基づき前記第１リソースを決定する。
【０１３４】
一選択可能な実施形態として、前記装置４００は、前記設定された第１リソース上でシステム情報を受信する前、プリセット設定情報に基づき前記第１リソースを決定する第２決定モジュールをさらに備える。
【０１３５】
一選択可能な実施形態として、前記プリセット設定情報は前記第１リソースの計算方法を指示することに用いられ、前記第２決定モジュールは具体的には、前記プリセット設定情報により指示される前記第１リソースの計算方法に従って前記第１リソースを決定する。
【０１３６】
一選択可能な実施形態として、前記プリセット設定情報は前記システム情報の制御情報を送信するリソースの計算方法を指示することに用いられ、前記第２決定モジュールは具体的には、さらに前記プリセット設定情報により指示される前記システム情報の制御情報を送信するリソースの計算方法に従って、前記システム情報の制御情報を送信するリソースを計算し、前記受信モジュール４１０はさらに、前記システム情報の制御情報を送信するリソース上で前記システム情報の制御情報を受信し、前記第２決定モジュールは具体的には、さらに前記システム情報の制御情報により指示されるリソースに基づき前記第１リソースを決定する。
【０１３７】
一選択可能な実施形態として、前記受信モジュール４１０は具体的には、さらに前記装置４００自体のサポートする帯域幅に基づき前記システム情報を同時又は順番に受信する。
【０１３８】
一選択可能な実施形態として、前記システム情報は、前記装置４００が前記システム情報を除くほかのシステム情報を受信するリソースを指示するための第２指示情報を含み、前記受信モジュール４１０はさらに、前記設定された第１リソース上でシステム情報を受信した後、前記第２指示情報に基づき前記システム情報を除くほかのシステム情報を受信するリソース上で前記ほかのシステム情報を受信する。
【０１３９】
一選択可能な実施形態として、前記第２指示情報はさらに前記装置４００が前記ほかのシステム情報を受信する順序を指示することに用いられ、及び／又は、前記第２指示情報はさらに前記ほかのシステム情報のコンテンツ情報を指示することに用いられる。
【０１４０】
一選択可能な実施形態として、前記システム情報はマスタ情報ブロックである。
【０１４１】
図９は本発明の実施例に係るシステム情報の伝送システム５００の模式図であり、装置３００及び装置４００を備える。
【０１４２】
図１０は本願の実施例に係るシステム情報の伝送装置６００を模式的に示すブロック図であり、たとえば、該装置は方法１００中のネットワーク装置であってもよい。図１０に示すように、該装置６００は送受信機６１０及びプロセッサ６２０を備える。
【０１４３】
プロセッサ６２０は、システム情報を送信するリソースを決定し、送受信機６１０は、前記システム情報を送信するリソース上で前記システム情報を送信する。
【０１４４】
理解すべきなのは、該装置６００は方法１００中のネットワーク装置に対応し、方法１００中のネットワーク装置に対応する機能を実現でき、簡潔にするために、ここで詳細説明を省略する。
【０１４５】
図１１は本願の実施例に係るシステム情報の伝送装置７００を模式的に示すブロック図であり、該装置は方法２００中の端末装置であってもよい。図１１に示すように、該装置７００は送受信機７１０及びプロセッサ７２０を備え、送受信機７１０は、設定された第１リソース上でシステム情報を受信する。
【０１４６】
一選択可能な実施形態として、送受信機７１０はさらに、前記設定された第１リソース上でシステム情報を受信する前、第１指示情報を受信し、プロセッサ７２０は、第１指示情報に基づき前記第１リソースを決定する。
【０１４７】
なお、該装置７００は方法２００中の端末装置に対応し、方法２００中の端末装置に対応する機能を実現でき、簡潔にするために、ここで詳細説明を省略する。
【０１４８】
理解すべきなのは、本発明の実施例では、プロセッサ６２０とプロセッサ７２０は中央処理装置（Ｃｅｎｔｒａｌ  Ｐｒｏｃｅｓｓｉｎｇ  Ｕｎｉｔ、ＣＰＵ）であってもよく、プロセッサはさらにほかの汎用プロセッサ、デジタル信号プロセッサ（ＤＳＰ）、特定用途向け集積回路（ＡＳＩＣ）、フィールドプログラマブルゲートアレイ（ＦＰＧＡ）又はほかのプログラマブルロジックデバイス、ディスクリートゲート又はトランジスタロジック装置、ディスクリートハードウェアユニット等であってもよい。汎用プロセッサはマイクロプロセッサであり、又は該プロセッサは任意の通常のプロセッサ等である。
【０１４９】
理解すべきなのは、本明細書では、用語「及び／又は」は、単に関連対象の関連関係を示すものであり、３種の関係が存在することを示し、例えば、Ａ及び／又はＢの場合、Ａのみが存在すること、ＡとＢが同時に存在すること、及びＢのみが存在することを示す。また、本明細書では、文字「／」は、一般には、前後の関連対象が「又は」の関係を有することを示す。
【０１５０】
理解すべきなのは、本発明の実施例に係る各種の実施例では、上記各手順の番号の大きさは実行順序を示すものではなく、各手順の実行順序はその機能及び内部ロジックによって決定され、且つ本発明の実施例の実施プロセスを限定するものではない。
【０１５１】
当業者であれば、本明細書に開示されている実施例を参照して説明された各例のユニット及びアルゴリズムのステップを電子ハードウェア、又はコンピュータソフトウェアと電子ハードウェアとの組合せによって実現できると理解できる。これらの機能をハードウェアで実行するかソフトウェアで実行するかは、技術案の特定の応用及び設計制約条件に応じて決められる。当業者は、各特定のアプリケーションに対して異なる方法で説明された機能を実現することができるが、このような実現は本発明の範囲を超えると考えられない。
【０１５２】
当業者であれば、説明の便宜及び簡潔上、上記説明したシステム、装置及びユニットの具体的なプロセスは、上記方法の実施例の対応するプロセスを参照すればよいと理解できるため、ここで詳細説明を省略する。
【０１５３】
本発明の実施例により提供されるいくつかの実施例では、開示されているシステム、装置及び方法をほかの形態で実現できると理解すべきである。例えば、以上説明された装置の実施例は単に例示的なものであり、例えば、該ユニットの分割は、単に１種のロジック機能分割であり、実際に実現する時に別他の分割方式を採用してもよく、例えば複数のユニット又は要素を他のシステムに結合又は集積し、又はいくつかの特徴を無視したり実行しなかったりする。また、表示又は検討された相互の結合又は直接結合又は通信接続はいくつかのインタフェース、装置又はユニットを介した間接結合又は通信接続であってもよく、電気的、機械的又はほかの形態としてもよい。
【０１５４】
前記分離部材として説明されたユニットは物理的に分離しているものであってもよく、物理的に分離しているものでなくてもよく、ユニットとして表示される部材は物理ユニットであってもよく物理ユニットでなくてもよく、すなわち、１つの場所に位置してもよく、複数のネットワークユニットに分布してもよい。実際の必要に応じて一部又はすべてのユニットを選択して本実施例の技術案の目的を実現することができる。
【０１５５】
また、本発明の実施例の各々における各機能ユニットは１つの処理ユニットに集積されてもよく、別々に物理的に存在してもよく、２つ又は２つ以上のユニットは１つのユニットに集積されてもよい。
【０１５６】
前記機能はソフトウェア機能ユニットの形態で実現され独立した製品として販売又は使用される場合、コンピュータ可読記憶媒体に記憶される。このような理解に基づき、本発明の技術案は本質的に又は従来技術に貢献する部分又は該技術案の一部はソフトウェア製品の形態で表現することができ、該コンピュータソフトウェア製品は記憶媒体に記憶され、一台のコンピュータ装置（パーソナルコンピュータ、サーバ、又はネットワーク装置等であってもよい）に本発明の実施例の各々に係る方法の全て又は一部のステップを実行させるための複数の命令を含む。上記記憶媒体は、Ｕディスク、モバイルディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスクなどプロクラムコードを記憶可能な種々の媒体を含む。
【０１５７】
以上、本発明の具体的な実施形態を説明したが、本発明の保護範囲はそれに限定されるものではなく、当業者が本発明に開示されている技術範囲を逸脱せずに容易に想到し得る変更や置換はすべて本発明の保護範囲に属する。従って、本発明の保護範囲は特許請求の範囲の保護範囲に準じるべきである。
【図１】
0006967594.tif 000002
【図２】
0006967594.tif 000003
【図３】
0006967594.tif 000004
【図４】
0006967594.tif 000005
【図５】
0006967594.tif 000006
【図６】
0006967594.tif 000007
【図７】
0006967594.tif 000008
【図８】
0006967594.tif 000009
【図９】
0006967594.tif 000010
【図１０】
0006967594.tif 000011
【図１１】
0006967594.tif 000012